(57)【特許請求の範囲】
【請求項１】
機裏側に装備された機構セット盤(C)の賞球貯留排出部(4)に貯留されたパチンコ球を球払出し部(30)から払出し得るもとで、ゲームの入賞成立に対する賞球として賞球排出路(5,7)から遊技者側へ排出し得る一方、球抜き操作により戻し球として球抜き路(9)から機外へ排出し得るようにしたパチンコ遊技機において、
前記球払出し部(30)が組付けられて前記機構セット盤(C)に形成された凹室部(25)に対して着脱可能で、前記賞球貯留排出部(4)の送出樋(4c)に連通し得る垂下状の球通路(28)を形成したケース体(26)と、
前記ケース体(26)の下方位置で前記凹室部(25)に対して着脱可能に組付けられる別のケース体(41)と、
前記別のケース体(41)に形成され、前記球払出し部(30)の球通路(28)に連通し得る球入路(40)と、
前記別のケース体(41)に形成されて前記球入路(40)の下部から垂下状に延在し、前記賞球排出路(5,7)側に連通し得る球払出し路(43)と、
前記別のケース体(41)に形成されて前記球払出し路(43)の前側に位置するよう前記球入路(40)の下部から分岐されて傾斜状に延在し、前記球抜き路(9)側に連通し得る球戻し路(44)と、
前記別のケース体(41)に横向きに設置され、該別のケース体(41)内に組込まれる方形の外郭体(52)内に励磁力発生部(53)を組込むと共に、同励磁力発生部(53)に挿通されて回動し得る回動軸(54)を支持し、回動軸(54)の一部を支点軸部(54a)として外郭体(52)外に延出させたロータリー式の電磁ソレノイド(48)と、
前記電磁ソレノイド(48)の回動軸(54)の支点軸部(54a)に連結されて、前記別のケース体(41)の球払出し路(43)と球戻し路(44)との分岐部分に変移可能に位置し、別のケース体(41)内の球流路の切換えをなし得る切換え弁(49)と、
前記別のケース体(41)の所定位置に取着され、前記切換え弁(49)が球抜き可能状態に切換え保持されていることを検出し得る保全スイッチ(90)と、
前記機構セット盤(C)における前記凹室部(25)の上方に取着され、指先操作または工具操作により操作して前記ケース体(26)の一部を係脱可能に係止し得る係合盤(75)を有し、該係合盤(75)を一方に変位させる施錠操作により、係合盤(75)が凹室部(25)に突出してケース体(26)の一部を固定セットすると共に、係合盤(75)を他方に変位させる解錠操作により、係合盤(75)が凹室部(25)から退避してケース体(26)を取外し可能とする施錠部材(70)と、
前記機構セット盤(C)における前記凹室部(25)の上方に取着されて前記施錠部材(70)に連繋し、前記球送出樋(4c)に対して出没変位して同樋(4c)内の球の流出規制および流出許容をなし得る規制弁(89)を有する可動規制部材(87)とを備え、
前記切換え弁(49)に付与される付勢力と、前記電磁ソレノイド(48)で発生される励磁力とを利用して、切換え弁(49)が回動軸(54)を支点として前記球通路(28)および球払出し路(43)を連通して球を遊技者側へ排出し得る第１の状態と、前記球通路(28)および球戻し路(44)を連通して球を機外へ抜出し得る第２の状態とに切換え可能とされ、この切換え弁(49)が第２の状態に切換え保持されている状態で、前記保全スイッチ(90)がその検出部(91)で切換え弁(49)の一部(92)を検出することを条件として前記球払出し部(30)が払出し解放作動可能とされるように設定すると共に、
前記球払出し部(30)の組付けセット時においては、前記施錠部材(70)の施錠操作により係合盤(75)をケース体(26)の一部に係止保持することに関連して、前記可動規制部材(87)の規制弁(89)を球送出樋(4c)から退出状態にして球の流出を可能とし、
前記球払出し部(30)の取外し時においては、施錠部材(70)の解錠操作により係合盤(75)をケース体(26)の一部から解放することに関連して、可動規制部材(87)の規制弁(89)を球送出樋(4c)内に突出して球の流出を不能にするように構成した
ことを特徴とする貯留球の不正排出防止装置を備えたパチンコ遊技機。
【発明の詳細な説明】
【０００１】
【発明の属する技術分野】
この発明は、貯留球の不正排出防止装置を備えたパチンコ遊技機に係り、更に詳しくは、機裏側に貯留したパチンコ球を、ゲームの入賞成立に対する賞球として遊技者(球皿)側へ排出し得る一方、球抜き操作により戻し球(返し球)として機外へ排出し得る遊技機において、球の排出流路の切換えをなし得ると共に、戻し球として抜出された球の不正な排出を防止するようにした不正排出防止装置を備えたパチンコ遊技機に関するものである。
【０００２】
【従来の技術】
パチンコ機やアレンジボール機に代表されるこの種の遊技機では、遊技操作に基づいて開始される１球毎の球送り発射制御作動により、球皿から発射位置に送込まれた遊技球を遊技盤内に打出して所要のパチンコゲームを行ない得る。そして、このゲーム中の入賞条件(セーフ球の発生や入球による図柄組合わせの得点成立等)に対して、機裏側の球貯留排出経路部内に貯留された球が、賞球払出装置の払出し作動毎に所定数の賞球として払出されて、所定の賞球経路から上球皿および下球皿へ給出される。一方、遊技機の取扱いにより球貯留排出経路部内の相当量の貯留球を抜取る必要がある場合には、一般に前枠の正面側部に形成された操作孔から操作杆を挿入して機裏側の球抜き装置を作動させることにより、賞球経路と球抜き路との分岐連絡部に設けられた切換え弁を球抜き状態(球戻し位置)に保持したもとで、貯留球を球抜き路から機外の裏側へ放出し得るようになっている。なお操作杆は、針金状材に摘み部を付けた程度のものでホール管理者側で管理されるが、入手容易な直線材でも十分代用できる。
【０００３】
このようなパチンコ遊技機にあって、賞球の払出しとは別に、球抜き操作によりすべての貯留球を払出し可能にする形態として、一般に前記賞球払出装置では、入賞条件毎に対する電動具(ソレノイドやモータ)の駆動制御により、球経路に臨む球送り体を回転制御させながら賞球を払出してカウント検出する電動タイプが使用され、また前記球抜き装置では、前述の操作杆で作動されるスイッチの検出入力に基づく電磁ソレノイドの駆動制御により、前記切換え弁を球抜き(戻し)位置に切換え保持して抜出す電気タイプが使用されている。そして双方の装置の実施形態として、遊技盤点検用の窓口を設けた裏側の機構セット盤の側縁部において、賞球払出装置が球貯留排出経路部の下流部に合わせて設置され、また球抜き装置が賞球払出装置の下流に連通する賞球経路と球抜き路との分岐連絡部に設置されて、球抜き操作におけるスイッチの検出入力に基づいて、切換え弁の切換え保持および賞球払出装置の解放条件のもとで、抜出された全ての貯留球を放出し得るようになっている。
【０００４】
なお前記球抜き装置については、操作杆の他に、外枠から開放された前枠の裏側において、指先操作によりスイッチを操作検出できるようになっている。また双方の装置では、電子制御装置での球抜き制御処理として、前記スイッチの検出入力を１回だけ有効化し、球抜き作動後には正常な復旧処理として電源再投入または電子制御装置に係るリセット入力操作を行なう。そしてこの処理を行なわない限り、同スイッチの以後の検出入力を無効として球抜き不能に設定されている。このもとで、前記電動具および電磁ソレノイドが、球抜き用のスイッチの検出入力に対する電子制御装置でのタイマー設定条件に基づいて、所定時間経過後に自動復帰するように設定されている。
【０００５】
【発明が解決しようとする課題】
ところで近年のパチンコ遊技機では、機裏側の貯留球を賞球として払出すことの他に、遊技用の貸し球として払出し得ることが要求されていることに応えて、多くの場合前述した電動タイプの賞球払出装置が使用され、これに対応して前記球抜き装置が下部に組込まれている。このような実施形態にあっては、賞球と貸し球との区分払出しが容易に可能であり、またすべての貯留球の抜出しが可能であるとしても、貯留球の不正抜出し獲得を許してしまう大きな問題があった。すなわち現状において前記球抜き用のスイッチは、前記操作杆以外の針金状材でも簡単に操作検出されてしまい、この検出入力に基づいて双方の装置が球抜き状態と球払出し解放状態とに作動される。このため、遊技機の構成並びに両装置の形態等を熟知した不正者が、平常の遊技を装う姿勢で線状の不正物を上球皿に連絡する供給口から前記賞球経路内に侵入させて、巧みに操りながら上方部に位置する球抜き装置側へ挿入して切換え弁を払出し位置に拘束保持する。このもとで、前記スイッチを不正に検出作動させた場合には、すべての貯留球が球払出し解放状態の賞球払出装置から放出された後、前述の切換え弁により賞球経路へ排出されて上球皿または下球皿へ給出されてしまう。
【０００６】
従って、前述した電動タイプの賞球払出装置と球抜き装置とを併用形態で装備している多くのパチンコ遊技機にあっては、正常な球抜き操作により全ての貯留球を機外に抜出し得る便利な機能を有する反面、前述したような不正な球抜きによる獲得を許してしまう欠点を内在しており、これを好適に阻止できなかった。この結果、前記スイッチの１回の有効検出作動による不正抜出しだけを許すとしても、現実には数百個もの貯留球が抜出されてしまい、遊技機の台数が多くなれば到底軽視できない数量(金額分)の貯留球となって、ホール側が大きな被害を受ける問題があった。ちなみに前述した不正球抜きは、隣在の遊技者にも気付かれない程の内に巧みに行なわれしまい、ホール側ではコンピュータ管理による各台の稼働状況をチェックした後に異常を察知しているような現状にある。
【０００７】
【発明の目的】
本発明は、前述した課題を好適に解決するべく新規に提案されたもので、機裏側の機構セット盤における球払出し部の下部に組付けられる球切換え排出部において、賞球と戻し球との排出の切換えをなし得ると共に、不正な球抜き行為による賞球の抜取り獲得を防止し得るようにした貯留球の不正排出防止装置を備えたパチンコ遊技機を提供することを目的とする。
【０００８】
【課題を解決するための手段】
前記課題を解決し、所期の目的を達成するため本発明は、機裏側に装備された機構セット盤の賞球貯留排出部に貯留されたパチンコ球を球払出し部から払出し得るもとで、ゲームの入賞成立に対する賞球として賞球排出路から遊技者側へ排出し得る一方、球抜き操作により戻し球として球抜き路から機外へ排出し得るようにしたパチンコ遊技機において、
前記球払出し部が組付けられて前記機構セット盤に形成された凹室部に対して着脱可能で、前記賞球貯留排出部の球送出路に連通し得る垂下状の球通路を形成したケース体と、
前記ケース体の下方位置で前記凹室部に対して着脱可能に組付けられる別のケース体と、
前記別のケース体に形成され、前記球払出し部の球通路に連通し得る球入路と、
前記別のケース体に形成されて前記球入路の下部から垂下状に延在し、前記賞球排出路側に連通し得る球払出し路と、
前記別のケース体に形成されて前記球入路の下部から分岐されて傾斜状に延在し、前記球抜き路側に連通し得る球戻し路と、
前記別のケース体に横向きに設置され、該別のケース体内に組込まれる方形の外郭体内に励磁力発生部を組込むと共に、同励磁力発生部に挿通されて回動し得る回動軸を支持し、回動軸(54)の一部を支点軸部として外郭体外に延出させたロータリー式の電磁ソレノイドと、
前記電磁ソレノイドの回動軸の支点軸部に連結されて、前記別のケース体の球払出し路と球戻し路との分岐部分に変移可能に位置し、別のケース体内の球流路の切換えをなし得る切換え弁と、
前記別のケース体の所定位置に取着され、前記切換え弁が球抜き可能状態に切換え保持されていることを検出し得る保全スイッチと、
前記機構セット盤における前記凹室部の上方に取着され、指先操作または工具操作により操作して前記ケース体の一部を係脱可能に係止し得る係合盤を有し、該係合盤を一方に変位させる施錠操作により、係合盤が凹室部に突出してケース体の一部を固定セットすると共に、係合盤を他方に変位させる解錠操作により、係合盤が凹室部から退避してケース体を取外し可能とする施錠部材と、
前記機構セット盤における前記凹室部の上方に取着されて前記施錠部材に連繋し、前記球送出樋に対して出没変位して同樋内の球の流出規制および流出許容をなし得る規制弁を有する可動規制部材とを備え、
前記切換え弁に付与される付勢力と、前記電磁ソレノイドで発生される励磁力とを利用して、切換え弁が回動軸を支点として前記球通路および球払出し路を連通して球を遊技者側へ排出し得る第１の状態と、前記球通路および球戻し路を連通して球を機外へ抜出し得る第２の状態とに切換え可能とされ、この切換え弁が第２の状態に切換え保持されている状態で、前記保全スイッチがその検出部で切換え弁の一部を検出することを条件として前記球払出し部が払出し解放作動可能とされるように設定すると共に、
前記球払出し部の組付けセット時においては、前記施錠部材の施錠操作により係合盤をケース体の一部に係止保持することに関連して、前記可動規制部材の規制弁を球送出樋から退出状態にして球の流出を可能とし、
前記球払出し部の取外し時においては、施錠部材の解錠操作により係合盤をケース体の一部から解放することに関連して、可動規制部材の規制弁を球送出樋内に突出して球の流出を不能にするように構成したことを特徴とする。
【０００９】
【作用】
不正排出防止装置は、ケース体内に組込まれるロータリー式の電磁ソレノイドと、該電磁ソレノイドの回動軸の先端に連結されて球払出し路と球戻し路との分岐部位に位置する切換え弁と、この切換え弁が球抜き可能状態に切換え保持されていることを検出し得る保全スイッチから構成され、一つのケース単位に小型ユニット化される。この不正排出防止装置が設置部に組付けセットされた状態では、ケース体に形成された球入路が球払出し部の球通路に整合連通し、該球入路から分岐した球払出し路が賞球排出路側に整合連通すると共に、該球入路から別に分岐した球戻し路が球抜き路側に整合連通する。そして、前記電磁ソレノイドの非励磁状態においては、切換え弁に付与された付勢力により、該切換え弁は第１の状態、すなわち球入路と球払出し路とを連通させた状態に姿勢保持され、球払出し部から払出されたパチンコ球は、球通路,球入路から球払出し路側へ通出されて賞球排出路を介して賞球として遊技者側へ排出される。また、所要の球抜き操作による前記電磁ソレノイドの励磁状態においては、該ソレノイドの回動軸の回動変位により、前記切換え弁は第２の状態、すなわち球入路と球戻し路とを連通させた状態に姿勢保持され、球払出し部から払出されたパチンコ球は、球通路,球入路から球戻し路側へ通出されて球抜き路を介して戻し球として機外へ排出される。
【００１０】
また、切換え弁が第２の状態に変位した場合には保全スイッチが検出(ＯＮ)状態となり、該保全スイッチの検出条件下に球払出し部が払出し解放作動状態に制御させて、貯留球の払出しが行なわれる。しかし、切換え弁が第１の状態側へ変位した場合には保全スイッチが非検出(ＯＦＦ)状態となり、該保全スイッチの非検出条件下に球払出し部が払出し解放作動不能状態に制御されて、貯留球の払出しが停止される。従って、第２の状態に保持されていた切換え弁が、不正操作により第２の状態から第１の状態へ強制的に変位させられたとしても、球払出し部における貯留球の払出しそのものが停止されるから、貯留球が球払出し路側へ不正に抜出されることを阻止する。
【００１１】
【発明の実施の形態】
次に、本発明に係る貯留球の不正排出防止装置を備えたパチンコ遊技機について、好適な実施例を挙げて、添付図面を参照しながら、以下詳細に説明する。なお本実施例では、遊技球を１個ずつ遊技盤内に打出して遊技球の入賞ゲーム(アウト球とセーフ球との区分)を展開するタイプにあって、機裏側の貯留球を、入賞成立(セーフ球の発生)に対する賞球と、球貸しシステムを利用した遊技用の貸し球とに区分排出して球皿側へ供給し得るパチンコ機の場合を主に例示する。
【００１２】
先ず、図１に略示するパチンコ機および図２に略示する球処理部について要約説明すると、外枠Ａに組付けられた前枠Ｂの裏側に、夫々の球処理部を有する機構セット盤Ｃが着脱可能にセットされている。このセット盤Ｃでは、遊技盤点検用の窓口１の周囲において、アウト球用の排出路２とセーフ球用の処理路３が区画形成されている一方、賞球用の球貯留排出経路部(賞球貯留排出部)４として、最上端の球タンク４ａと整列用の整流樋４ｂおよび減圧用の送出樋４ｃが順に連設されて、相当数のパチンコ球を貯留して送出し得るようになっている。また送出樋４ｃの下流端に、後述する賞球払出装置Ｆおよび本実施例の貯留球の不正排出防止装置Ｇが着脱可能にセットされており、該不正排出防止装置Ｇの出口下方に、上下の球皿(図示しない)側に連絡される第１,第２の賞球路(賞球排出路)５,７が形成され、第１の賞球路５の上流部から分岐された球抜き路９が下部外側に形成されて、前記排出路２および処理路３に連絡されている。なお、第１の賞球路５は供給口６を介して上球皿の上流部に連絡され、また第２の賞球路７は供給口６の側方から分岐されて前枠Ｂの下部裏側に取着された容器８を介して下球皿に連絡されている(図１および図２参照)。
【００１３】
前述した機構セット盤Ｃにおけるその余の構成として、図１および図２に略示するように、前記整流樋４ｂと送出樋４ｃとの直交連絡部位に、賞球単列化用の球送り整列部１０が装備され、また整流樋４ｂの所定位置に貯留球検出用のスイッチ１１が設置され、そして第２の賞球路７の途上に賞球充満検出機構１２が組込まれている。一方、送出樋４ｃの近傍に球抜き操作手段としてのレバー１３およびスイッチ１４が組付けられており、そして前記処理路３にセーフ球検出処理装置Ｄが着脱可能にセットされている。この装置Ｄでは、セーフ球を１個ずつ停留検出して賞球払出し後に解放通出する電動形態であって、図２および図３に例示するように、処理路３と連通する通路１６を形成した本体１５に、通路１６内のセーフ球を１個ずつ通過検出し得るスイッチ１７と、このスイッチ１７の上,下方に位置するストッパー部１８ａ,１８ｂを形成して、１回毎の処理作動によりセーフ球に対する拘束と解放とによる通入出規制を行なうレバー状の規制処理部材１８と、同部材１８を各規制状態に交互に切換え操作する電磁ソレノイド１９とを組付けて、全体が本体単位で構成・取扱い得るようになっている。なお図１中、２０は電源部(ＡＣ２４Ｖ)に接続されるターミナル基板、２１はゲーム内容を制御する第１電子制御装置、２２はセーフ球検出処理並びに賞球排出(払出しと球抜き)を制御する第２電子制御装置を夫々示す。
【００１４】
このような本実施例のパチンコ機は、遊技ホール内の設置枠台(通称「島」)の各区画枠内に前記球貸しシステムと共に設置されて縦向きで遊技に供される。この状態において、図示しないが、各列毎の設置枠台の補給設備における配球ユニットから必要時に供給される相当量のパチンコ球を、前記球貯留排出経路部４の球タンク４ａ内に受入れて各樋４ｂ,４ｃに収容しており、パチンコゲーム中に発生したセーフ球に対して所定数の賞球を払出し得る。一方球貸しシステムでは、前記スイッチ１１の球有り検出条件において、使用するカードの有効金額内における一定額単位に対して設定数球の貸出し制御をなすもので、カードリーダ２３およびカード挿入口等を有するカードユニットＥが外枠Ａ外側に装備されて(図１参照)、前枠Ｂの裏側下部に設置された中継制御部(インターフェースボードともいう)２４に、カードリーダ２３と上球皿側の球貸し操作部および前記第２電子制御装置２２が夫々接続されている。そして、カードリーダ２３の球貸し判読制御処理条件に応答して後述の賞球払出装置Ｆが作動されることにより、払出された貸し球が上球皿へ供給されるようになっている。
【００１５】
前述したパチンコ機に実施される賞球払出装置Ｆは、前記第２電子制御装置２２で制御作動されるもとで、セーフ球に対する賞球と遊技用の貸し球との区分排出並びに貯留球の抜出しの制御をなす電子制御作動形態のもので、図１および図２に略示するように、前記機構セット盤Ｃの設置部内に着脱可能にセットされている。この賞球払出装置Ｆでは、基本的な構成として図４〜図６に示すように、縦長方形箱状にユニット化された合成樹脂製のケース体２６内に球通路を区画形成すると共に、この球通路に臨む部位に電動式の球払出し部３０を夫々組付けて、ケース体毎に取扱い得るようになっている。そして機構セット盤Ｃの設置部、つまり前記球貯留排出経路部４の送出樋４ｃ下端と、前記第１,第２の賞球路５,７および球抜き路９上端との間に形成された凹室部２５内にケース体２６単位で収容され、球通路を送出樋４ｃおよび各路５,７,９に整合連絡した状態で後述する所要の係止手段で固定セットされるようになっている。前記ケース体２６は、凹室部２５内の設置面に密着される１枚のベース板２６Ａに矩形のカバー２６Ｂが組付けられており、このケース体２６内の一側部(図４における右側)に、１列の球通路２８を垂下状に形成した樋２７が組込まれて、ベース板２６Ａとカバー２６Ｂとにビス固定されている。
【００１６】
そして、前述のケース体２６内に組込まれた前記球払出し部３０は、球貯留排出経路部４からの球を１個ずつ通入出検出するもので、図４および図５に例示するように、ベース板２６Ａの支持部３１に軸支持された回転スプロケット状の球送り体３２と、球送り体３２の回転・停止規制をなす規制片３６の切換え作動源である電磁ソレノイド３４と、第１,第２検出具３８,３９とを備えている。そして球送り体３２は、外周に形成した受け部３３(図示６個)を球通路２８内に臨ませて、１個ずつの球を受けて回転により放出し得る。また電磁ソレノイド３４は、図示のフラッパー形式例において、ベース板２６Ａに固定された金属製の支枠２５にコイルを巻回した磁力発生部(ボビンともいう)３４Ａを装着し、通電時に発生された励磁力を磁着部３４ａに集中的に作用し得、これに対して規制片３６は、支枠３５の一端に傾動可能に支持されてバネ３７で付勢され、磁着部３４ａとバネ３７を利用して球送り体３２の受け部３３を係合停止,離隔解放するようになっている。一方、第１,第２検出具３８,３９は、互いに１球分の検出間隔で配置されて球通路２８に臨み、通入球と通出球とを個々に検出するよう構成される。
【００１７】
このような球払出し部３０では、電源投入時の作動状態において、電磁ソレノイド３４の消磁(ＯＦＦ)により磁着部３４ａから解放された垂下状態の規制片３６が、球送り体３２を拘束した通常状態に付勢保持されている(図４参照)。従ってこの球送り体３２が、前記球貯留排出経路部４内に投入されて送出路４ｃから球通路２８に入っている球の最先行(最下端)を、受け部３３に受入れた状態で停止されていることにおいて、第１検出具３８がこの球を直接有検出する。一方、電磁ソレノイド３４の励磁(ＯＮ)により磁着部３４ａに吸着された規制片３６が傾動変化して球送り体３２を解放すると、同球送り体３２が受けた１球の重みで回転して同球を放出することにおいて、第２検出具３９が放出球を直接有検出し、電磁ソレノイド３４が消磁復帰されるようになっている。なお第１,第２検出具３８,３９は、ともに光学センサータイプが使用される例において、前記第２の制御回路装置２２側に接続される制御基板(図示せず)に配置された発光ダイオードと、回路基板(図示せず)に配置された受光ダイオードとが組とされている。なお、球払出し部３０内での球詰り(判定)に対して、払出し用の電磁ソレノイド３４の作動により振動を発生させて球詰りを解消する制御として、例えば特願平１−２４９９７３号公報に開示の技術を採用可能である。また第２検出具３９の払出し球検出不良(故障)の判定処理の制御に関しては、例えば特願平１−２４９９７５号公報に開示の技術を採用し得る。更には、賞球(貯留球)の数量(検出間隔時間)に応じて球払出し速度を高速用モードと、低速用モードとに変更する制御に関しては、例えば特願平２−６７８９号公報や特願平５−２８５８２１号公報に開示の技術を採用することができる。
【００１８】
本実施例の貯留球の不正排出防止装置Ｇは、前記第２電子制御装置２２で制御作動されるもとで、賞球および貸し球と貯留球とを切換え排出するもので、図１および図２に略示するように、前記機構セット盤Ｃの設置部内において前記賞球払出装置Ｆの下方に着脱可能にセットされている。この不正排出防止装置Ｇでは、基本的な構成として図４,図５,図１３および図１４に示すように、小型の方形箱体状にユニット化された合成樹脂製のケース体４１内に球通路を区画形成すると共に、この球通路に臨む部位に電動式の球切換え排出部４７を組付けて、ケース体毎に取扱い得るようになっている。そして機構セット盤Ｃの設置部、つまり前記凹室部２５内において、前記賞球払出装置Ｆと第１の賞球路５および球抜き路９との間にケース体単位で収容され、球通路を前記球通路２８と該第１の賞球路５および球抜き路９に整合連結した状態で後述する所要の係止手段で固定セットされるようになっている。なお前記ケース体４１は、前記凹室部２５内の設置面に密着されるベース体４１Ａにコ字形のカバー４１Ｂが組付けられ、このケース体４１内の一側部(図４における右側)に球通路が画成されている。
【００１９】
そして本実施例の不正排出防止装置Ｇでは、前記ケース体４１の右部に形成された区画壁４２と前記カバー４１Ｂにより、前記賞球払出装置Ｆの球通路２８に整合連通される球入路４０が形成され、この球入路４０の下部から垂下状に延在して前記第１の賞球路５に連通される球払出し路４３が形成されると共に、前記球入路４０の下部から後方へ分岐されて傾斜状に延在して前記球抜き路９に連通される球戻し路４４が形成されており、前記ベース体４１Ａの略中央で上下に延在する支切り板４６と前記カバー４１Ｂの右側壁部とにより各路４０,４３,４４が覆蓋されている。なお、ベース体４１Ａの各部には組付け用のボスや台座等が配設されており、また球払出し路４３と球戻し路４４とは、図５に例示するように互いに略逆Ｖの字状に連通されて、その分岐連絡口部の一端に後述する切換え弁４９用の逃し凹部４５が形成されている。
【００２０】
また、前記ケース体４１内に組込まれた前記球切換え排出部４７は、図４,図５,図１３および図１４に示すように、前記ベース体４１Ａの仕切り板４６の左側に設置される電磁ソレノイド４８と、仕切り板４６の右側で回動可能に支持されるレバー状の切換え弁４９と、この切換え弁４９が球抜き可能状態に切換え保持されていることを検出し得る保全スイッチ９０で構成されている。前記電磁ソレノイド４８は、小型で方形の外郭体５２を有するロータリー式で、該外郭体５２内に組込まれた励磁力発生部５３に挿通した回動軸５４を回動可能に支持して、その一端部を支点軸部５４ａとして外郭体５２外に延出した状態に構成されている。そして、この小型のロータリー式の電磁ソレノイド４８は、前記ベース体４１Ａに一体成形された支片５０により画成された設置部(取着部)５１に前記外郭体５２を収容し、支点軸部５４ａを前記球払出し路４３と球戻し路４４との分岐部位に延出させた状態にセットされる。すなわち、電磁ソレノイド４８が横向きにセットされ、球払出し路４３および球戻し路４４が該ソレノイド４８の側方に位置するので、殊にケース体４１の前後サイズが小さくなって不正排出防止装置Ｇが軽量かつ小型に構成されている。なお前記支切り板４６には、電磁ソレノイド４８の回動軸５４の挿通を許容する溝４６ａが形成されている。これに対して切換え弁４９は、図５に示すように、前記電磁ソレノイド４８の支点軸部５４ａに直結固定されて前記球払出し路４３と球戻し路４４との連絡部分内に位置し、前記回動軸５４の回動変位下に切換え保持されるようになっている。また前記支点軸部５４ａには、各端部を切換え弁４９と支切り板４６とに係止させて、該切換え弁４９に付勢力を付与するねじりばね５５が配設されている。
【００２１】
また前記保全スイッチ９０は、ケース体４１におけるカバー４１Ｂの前面に形成した設置部９３に、出没式のスイッチボタン(検出部)９１を該ケース体２６内に指向させた状態に装着されている。また前記切換え弁４９の側方には、前記スイッチボタン９１を押圧する押圧片(一部)９２が一体的に形成されている。この保全スイッチ９０は、スイッチボタン９１の非押圧状態ではＯＦＦ状態に保持され、切換え弁４９が傾斜戻し位置(第２の状態)へ回動変位して押圧片９２がスイッチボタン９１を押圧している間だけＯＮ状態とされる「ａ接点」タイプのもので、第２の電子制御装置２２に接続されている(図１６参照)。なお、カバー４１Ｂの側面に円弧状の細長通孔９４を形成してあり、切換え弁４９の側面に形成した操作孔９５に該通孔９４を介して差込んだ操作杆を係止させて、該切換え弁４９を手動で回動操作可能となっている。
【００２２】
このように構成した貯留球の不正排出防止装置Ｇでは、電源投入時の作動前状態において、電磁ソレノイド４８の消磁(ＯＦＦ)により回動軸５４がフリー状態にある場合には、前記ねじりばね５５による付勢力のもとに、前記切換え弁４９が回動軸５４を支点として起立払出し位置(第１の状態)に保持され、球入路４０と球払出し路４３とを連通させて前記賞球払出装置Ｆから払出された球を該球払出し路４３側へ案内する(図１５(ａ)参照)。またこの状態では、前記押圧片９２がスイッチボタン９１から離間して保全スイッチ９０がＯＦＦ状態となるから、切換え弁４９が傾斜戻し位置に保持されていることを該保全スイッチ９０が検出しない条件(非検出条件)となる。一方、電磁ソレノイド４８の励磁(ＯＮ)により回動軸５４が所定方向へ回動変位した場合には、前記切換え弁４９が該回動軸５４を支点として傾斜戻し位置に保持され、球入路４０と球戻し路４４とを連通させて前記賞球払出装置Ｆから払出された球を球戻し路４４側へ案内するようになっている(図１５(ｂ)参照)。そしてこの状態では、切換え弁４９の押圧片９２がスイッチボタン９１を押圧して保全スイッチ９０がＯＮ状態となるから、切換え弁４９が傾斜戻し位置に保持されていることを該保全スイッチ９０が検出している条件(検出条件)となる。なお、球切換え排出部４７に関連する操作手段については、図１に略示した前記機構セット盤Ｃにレバー１３およびスイッチ１４が配置使用される例において、レバー１３の操作によりスイッチ１４が検出(ＯＮ)することに応答して、前記切換え用の電磁ソレノイド４８と払出し用の電磁ソレノイド３４とが夫々設定時間に亘り励磁されるようになっている。ちなみにレバー１３は、前枠Ｂに形成された操作孔に挿入された針金状の操作具(共に図示しない)の押込みによる操作と、外枠Ａから開放した前枠Ｂの裏側で指先による操作との何れも可能にされている。
【００２３】
そして、前述のように構成された本実施例の貯留球の不正排出防止装置Ｇにおいて、不正球抜き獲得に係る防止対策技術については、ケース体４１内の球切換え排出部４７を内蔵して切換え弁４９を球通路内に位置させた上で、切換え弁４９の揺動による保全スイッチ９０のＯＮ・ＯＦＦ状態により、前記払出し用の電磁ソレノイド３４の作動制御を行なって貯留球の払出しを制御するようになっている。すなわち、前記切換え弁４９が傾斜戻し位置に変位して押圧片９２がスイッチボタン９１を押圧した場合には、保全スイッチ９０がＯＮ状態となってこの信号が第２の電子制御装置２２に入力され(図１６参照)、この保全スイッチ９０の検出条件により球払出し部３０が払出し解放作動状態に制御されて、払出し用の電磁ソレノイド３４の作動下に貯留球の払出しが行なわれる。従って、球払出し部３０から払出された貯留球は、切換え弁４９が傾斜戻し位置に保持されていることから、球戻し路４４側へ案内された後に球抜き路９へ排出される。一方、切換え弁４９が起立払出し位置に変位して押圧片９２がスイッチボタン９１から離間した場合には、保全スイッチ９０がＯＦＦ状態となってこの信号が第２の電子制御装置２２に入力され、この保全スイッチ９０の非検出条件により球払出し部３０が払出し解放作動不能状態に制御されて、払出し用の電磁ソレノイド３４の停止下に貯留球の払出しが中止されるようになっている。従って、傾斜戻し位置に保持されていた切換え弁４９が、線状の不正物により不正操作されて戻し位置から適宜揺動変位した場合には、球払出し部３０における貯留球の払出しそのものが中止されるから、該切換え弁４９を起立払出し位置に強制的に揺動させたとしても、貯留球が球払出し路４３側へ払出されることはない。
【００２４】
そして、前述のように構成された賞球払出装置Ｆと貯留球の不正排出防止装置Ｇとは、前記機構セット盤Ｃの凹室部２５に対して、ビスやボルト等を一切使用せずに、適宜の係止手段または施錠部材を利用したワンタッチ操作で簡単かつ容易に取付けられるようになっている。すなわち不正排出防止装置Ｇに関しては、図４,図６および図９に示すように、前記ケース体４１におけるカバー４１Ｂの左右両端部(外郭部)４１ａの上下部位に、左右外方へ延出した係止片(係止部)６５,６５が一体的に成形されており、また凹室部２５の下部には、該係止片６５,６５が上方から係止し得るスライド溝(掛止部)６６,６６が形成されている。従って、ケース体４１単位でユニット化された不正排出防止装置Ｇは、前記各係止片６５,６５を各スライド溝６６,６６の上方に整合させて位置決めし、この状態で下方へスライドさせることで各係止片６５がスライド溝６６内に嵌入し、該不正排出防止装置Ｇは凹室部２５に固定セットされる。このとき、球払出し路４３の出口部が第１賞球路５の入口部に整合すると共に、球戻し路４４の出口部が球抜き路９の入口部に整合する(図５参照)。
【００２５】
また前記賞球払出装置Ｆに関しては、図４,図６および図９に示すように、前記ケース体２６におけるベース板２６Ａの下端部に、下方へ延出した係止片６７,６７が一体的に成形されており、カバー２６Ｂの上面中央には、上方に延出した係合片部６８が一体的に成形されている。これら係止片６７,６７は、前記不正排出防止装置Ｇのベース体４１Ａの上面に凹設した係止凹部６９,６９に整合するようになっており、賞球払出装置Ｆを上方からセットした際に各係止片６７が各係止凹部６９に嵌入して、凹室部２５に固定セットされた該不正排出防止装置Ｇにより下部が固定保持されるようになっている。また前記係合片部６８には、凹室部２５の上方に回動可能に配設された施錠部材７０に係合するようになっている。
【００２６】
前記施錠部材７０は、図４〜図９に示すように、前記凹室部２５の上方にビス着されるカバー部材７１の外面から水平に延出した支点ボス７２に回動可能に配設され、該支点ボス７２が嵌挿する係合孔７４を形成した摘み部７３と、該摘み部７３の下端部から側方に延在する扇状の係合盤７５とを一体的に成形して構成されている。そして施錠部材７０は、前記支点ボス７２に対して左回転させると、前記係合盤７５が凹室部２５の上端部から退避したロック解除位置に変位し(図９参照)、また該ボス７２に対して右回転させると、該係合盤７５が該凹室部２５の上端部に位置したロック係止位置に変位するようになっている(図４参照)。すなわち、施錠部材７０をロック解除位置に保持させた状態において、前記不正排出防止装置Ｇを固定セットした凹室部２５の上部に前記賞球払出装置Ｆを位置決めし、この状態で該施錠部材７０をロック係止位置に回動変位させれば、係合盤７５が前記係合片部６８に係合するようになり、前記係止片６７と係止凹部６９との係止作用および該係合盤７５と係合片部６８との係合作用下に、該賞球払出装置Ｆは凹室部２５に固定セットされる。
【００２７】
前記係合片部６８には、図６に示すように、前記施錠部材７０における係合盤７５のカム縁７５ａが摺接する曲面状の係合面６８ａが形成されると共に、該係合盤７５の裏面端部に突設した突片７６が整合突入する係合溝７７が凹設されている。従って、施錠部材７０がロック係止位置に回動変位した際には、前記突片７６が係合溝７７に突入するようになり、該部材７０がロック係止位置に係止保持されてロック解除位置側への容易な回動変位が防止される。また、凹室部２５にセットされた前記賞球払出装置Ｆおよび不正排出防止装置Ｇは、前記施錠部材７０がロック係止位置に保持されている状態においては、前記カム縁７５ａと係合面６８ａとが好適に当接することにより、上下方向への移動が好適に規制されている。なお実施例の施錠部材７０は、前記摘み部７３を把持して回動変位させることの他に、該摘み部７３に形成した六角孔７８に対応の工具(六角レンチ等)を係止させて回動変位させることも可能となっている。
【００２８】
また、前記球貯留排出経路部４における送出樋４ｃの出口部には、前記施錠部材７０の回動変位に連動して作動される球流通規制装置８５が配設され、該送出樋４ｃからのパチンコ球の通出規制を行ない得るようになっている。この球流通規制装置８５は、図７および図９〜図１２に示すように、送出樋４ｃの出口部側方に配設された支点ピン８６に揺動自在に枢支されて前記施錠部材７０に係着しながら姿勢制御される可動規制部材８７で構成されている。前記可動規制部材８７は、その一端側が前記支点ピン８６に枢支されると共に、揺動端側には前方へ延出した連繋ピン８８が一体的に形成されている。この連繋ピン８８は、図１０に示すように、前記施錠部材７０の係合盤７５に形成された係合口８０と前記カム縁７５ａに係合するようになっており、該施錠部材７０がロック係止位置とロック解除位置との間を回動変位する際に、連繋ピン８８と係合口８０およびカム縁７５ａの係合作用下に、可動規制部材８７の姿勢が制御されるようになっている。
【００２９】
例えば、前記施錠部材７０がロック解除位置に保持されている状態においては、図１１に示すように、前記連繋ピン８８が前記カム縁７５ａに係合するようになり、可動規制部材８７は揺動端側が前記送出樋４ｃへ延出した傾動規制状態に姿勢保持される。これにより送出樋４ｃに沿って流下するパチンコ球は、傾動規制状態に保持されている可動規制部材８７の規制弁８９に当接して、該送出樋４ｃからの流出が規制される。すなわち、前記施錠部材７０をロック解除位置に保持して前記賞球払出装置Ｆを凹室部２５から取外す際には、送出樋４ｃからのパチンコ球の流出が好適に規制されるようになっている。一方、前記施錠部材７０をロック係止位置に変位させた際には、図１０に示すように、前記連繋ピン８８が前記係合口８０に係合するようになり、可動規制部材８７は揺動端側が前記送出樋４ｃから退避した規制解除状態に姿勢保持される。これにより送出樋４ｃに沿って流下するパチンコ球は、前記可動規制部材８７に規制されることなく該送出樋４ｃの出口部から流出する。すなわち、凹室部２５にセットした前記賞球払出装置Ｆをロック係止位置に変位させた前記施錠部材７０で係止保持した際には、送出樋４ｃを流下するパチンコ球が該賞球払出装置Ｆの球通路２８内へ流入するようになる。
【００３０】
なお前記カバー部材７１には、図６および図７に示すように、施錠部材７０がロック係止位置とロック解除位置との間を回動するに際して、前記突片７６が移動する軌跡に対応した位置に、円弧状の突部７９が形成されている。これにより、施錠部材７０が回動変位する際には、前記突片７６が前記突部７９の上面に接触するようになり、該施錠部材７０の容易な回動変位を制御するようになっている。また、施錠部材７０がロック解除位置に変位した際には、図１２に示すように、前記突片７６と突部７９との当接が解除されると共に、該突部７９の端部に該突片７６が位置するようになり、両者７６,７９の係着により施錠部材７０がロック解除位置に保持され、これにより前記可動規制部材８７が傾動規制状態に保持される。
【００３１】
そして本実施例のパチンコ機のその他の構成として、図２に示すように、前記凹室部２５を開放可能に覆蓋する開閉蓋６２が、機構セット盤Ｃに枢着されている。すなわち前記開閉蓋６２は、その下端部に機構セット盤Ｃに枢支される枢支軸６３,６３を一体的に成形すると共に、上端部には係着片６２ａが一体的に形成されている。また前記凹室部２５の上方には、前記係着片６２ａに係脱可能なロック部材６４が回動可能に配設されている。従って、閉成した前記開閉蓋６２により凹室部２５内が略完全に覆蓋されるので、該凹室部２５に固定セットした賞球払出装置Ｆおよび不正排出防止装置Ｇは、当該パチンコ機が遊技に供されている際に塵埃やたばこの煙等から隔離保護され、確実かつ安定した作動を長期間に亘って維持することが可能となる。
【００３２】
ここで、本実施例のパチンコ機の各部に配設された電気部品類および前記賞球払出装置Ｆの電気部品類に係る入出力制御系統について付記すると、図１６に略示するように、前記第１の電子制御装置２１に遊技盤(図示しない)に配置されたスイッチ等が接続されて、ゲームおよび賞球排出に係る制御処理がなされる。一方、前記第２の電子制御装置２２に、前記カードユニットＥのカードリーダ２３、インターフェースボード２４、球貸し操作用のスイッチ５９および貸し球用のスイッチ１１と、前記セーフ球検出処理装置Ｄのスイッチ１７および電磁ソレノイド１９と、前記球払出し部３０の電磁ソレノイド３４および第１,第２検出具３８,３９と、前記球切換え排出部４７の電磁ソレノイド４８および球抜き用のスイッチ１４が夫々接続されて、貸し球と賞球との区分払出し、セーフ球検出処理、そして球抜きに係る夫々の制御処理がなされる。なお第２の電子制御装置２２では、球抜き用のスイッチ１４の１回の検出信号を有効入力して、球抜き指令により切換え用の電磁ソレノイド４８、次いで払出し用の電磁ソレノイド３４を各々の時間(例えば５０秒と４５秒)に亘り励磁し、そしてリセットスイッチ６０の入力条件で次の球抜き用検出信号を有効入力可能に設定されている。
【００３３】
【実施例の作用】
前述のように構成された本実施例のパチンコ機では、該パチンコ機の組立製造時に、貯留球の不正排出防止装置Ｇおよび賞球払出装置Ｆとを、機構セット盤Ｃに形成した凹室部２５にワンタッチ操作で固定セットすることができ、極めて簡単かつ容易な組付けが可能となっている。すなわち不正排出防止装置Ｇは、各係止片６５,６５を各スライド溝６６,６６の上方に整合させて位置決めし、この状態で下方へスライド操作するだけでよく、これにより各係止片６５がスライド溝６６内に嵌入して該不正排出防止装置Ｇは凹室部２５に固定セットされる。また賞球払出装置Ｆは、前記不正排出防止装置Ｇを凹室部２５に固定セットした状態において、係止片６７を該不正排出防止装置Ｇの係止凹部６９に嵌入させると共に、施錠部材７０をロック係止位置に回動変位させるだけで凹室部２５に固定セットされる。これにより、賞球払出装置Ｆと不正排出防止装置Ｇとは、上下方向に連設した状態で凹室部２５に固定セットされる。なお、施錠部材７０がロック係止位置に変位していることにより、前記可動規制部材８７が規制解除状態に姿勢保持されるので、送出樋４ｃに沿って流下するパチンコ球は、前記賞球払出装置Ｆの球通路２８内に流入して球払出し部３０における球送り体３２に至る。
【００３４】
前述のように構成された本実施例のパチンコ機では、遊技ホール内の設置枠台にカードユニットＥと共に設置されて遊技に供し得る。そして、カードユニットＥに対するカードの挿入並びに機前側での球貸し操作により、機構セット盤Ｃの賞球払出装置Ｆから払出された貸し球を上球皿側へ給出して収容し得る。このもとで遊技操作(打球発射操作)を行なうことにより、機内の発射位置に１球ずつ送込まれた遊技球を遊技盤内に打出して所要のゲームを展開し得る。そうして、ゲーム中に発生したアウト球を機構セット盤Ｃの排出路２から機外へ排出し、またセーフ球を処理路３からセーフ球検出処理装置Ｄに導入して１球ずつ停留検出処理した後に機外へ排出する一方、このセーフ球の検出処理に対して賞球払出装置Ｆから設定数の賞球を払出して上球皿または下球皿へ給出するようになっている。そして、球抜き必要時の操作により球貯留排出経路部４内の貯留球を、賞球払出装置Ｆの解放状態で抜出して球抜き路９から機外へ排出することができる。
【００３５】
そこで、このようなパチンコ機に実施された賞球払出装置Ｆおよび本実施例の貯留球の不正排出防止装置Ｇにおける球排出作動状態について、各図を参照しながら説明する。先ず貸し球の払出しについては、貸し球用のスイッチ１１の球有り検出入力条件にあって、カードが挿入されて球貸し用のスイッチ５９が操作されたことに基づいて球払出し部３０が作動される。すなわち、同スイッチ５９の操作入力に対するカードリーダ２３，インターフェースボード２４および第２の電子制御装置２２間での制御処理および球貸し指令に基づいて、賞球払出装置Ｆの球払出し部３０が作動されて電磁ソレノイド３４の制御作動(励磁と消磁)および規制片３６の切換え、第１,第２検出具３８,３９の球有り検出入力並びに球送り体３２のピッチ回動により、所定数の球(例えば球貸し金額１００円に対して貸し球２５個)が１球ずつ払出され、不正排出防止装置Ｇにおける球払出し路４３から第１賞球路５へ排出され、供給口６から上球皿へ給出される。この貸し球の具体的な排出状態を図５および図１５(ａ)で観ると、全ての貸し球は、球送り体３２の受け部３３から解放された以降、第２検出具３９でカウント検出されて球入路４０へ通入し、起立払出し位置に保持されている切換え弁４９に沿って球払出し路４３側へ通出された後に、第１賞球路５へ排出される。
【００３６】
またセーフ球に対する賞球の払出しについては、図２および図３に示す前記セーフ球検出処理装置Ｄでのセーフ球検出毎に賞球払出装置Ｆの球払出し部３０が作動される。すなわち、前記処理路３から通路１６に通入して規制処理部材１８のストッパー１８ｂにより検出位置で停留されたセーフ球をスイッチ１７が検出した条件にあって、同検出入力に対する第１,第２の電子制御装置２１,２２間でのセーフ球信号と賞球信号との処理および払出し指令に基づいて、球払出し部３０が前述と同様な態様で作動されて(図５および図１５(ａ)参照）、電磁ソレノイド３４の制御作動および規制片３６の切換えに従う球送り体３２のピッチ回動により、所定数の球(例えば５〜１５個の賞球)が１球ずつ払出されて、球入路４０,球払出し路４３から第１賞球路５に通出され、供給口６から上球皿または第２賞球路７から下球皿へ給出される。そして、払出された所定数最後の賞球が第２検出具３９でカウント検出された時点に基づいて、当該回の払出し作動が終了されて電磁ソレノイド３４の消磁、規制片３６の復帰に従い球送り体３２が停止保持される。なお、払出し終了後セーフ球検出処理装置Ｄでは、第２の電子制御装置２２からのセーフ球解放指令に基づいて、電磁ソレノイド１９が１回作動(励磁と消磁)されることにより、規制処理部材１８の切換えに従い検出位置のセーフ球が解放されて機外へ排出され、次のセーフ球が検出位置に入って停止される(図３参照)。
【００３７】
一方貯留球の球抜きについては、球抜き操作に基づいて、不正排出防止装置Ｇの球切換え排出部４７と、賞球払出装置Ｆの球払出し部３０が順次作動される。すなわち、前記球抜き用のスイッチ１４が操作されたことにより、この検出入力に対する第２の電子制御装置２２での制御処理および球抜き指令に基づいて球切換え排出部４７が切換え作動されて、電磁ソレノイド４８の励磁による回動軸５４の回動と共に切換え弁４９が傾斜戻し位置に切換え保持される(図５および図１５(ｂ)参照)。これに次いで(例えば１.５秒後)球払出し部３０が開放作動されて、電磁ソレノイド３４の励磁により規制片３６が磁着変位されて球送り体３２を解放する。この結果、同球送り体３２が球通路２８内の球を受けながら連続フリー回転するもとで、１球ずつ放出された球貯留排出経路部４内の貯留球が、切換え弁４９で変向案内されながら球戻し路４４に通出して球抜き路９から機外へ抜出される。そうして、設定時間経過後の球抜き指令終了時に、球払出し部３０が元状復帰されてソレノイド３４の消磁により、規制片３６が変位復帰して球送り体３２を停止保持する。これに次いで(例えば３.５秒後)球切換え排出部４７が元状復帰されてソレノイド４８の消磁により回転軸５４がフリーとなり、ねじりばね５５の付勢力下に切換え弁４９が元の起立払出し位置(図１５(ａ)の位置)に保持される。
【００３８】
なお前述の球抜き作動では、球貯留排出経路部４内で多少の球流れ遅れが発生したとしても、双方のソレノイド３４,４８の励磁時間設定により全球を的確に抜出すことができる。そして球抜き後においては、補給設備の運転により新たな相当量の球が球タンク４ａ内に投入されることにより、球払出し部３０の球通路２８内の所定位置(球送り体３２の受止め位置)から球貯留排出経路部４内の全体に亘り通入(収容)されて、前述した貸し球,賞球の払出しが可能とされる。ちなみに、本実施例の賞球払出装置Ｆおよび貯留球の不正排出防止装置Ｇに係る第２の電子制御装置２２での別設定例として、球貸し操作信号は賞球払出し指令の終了後に入力可能とされ、また球抜き操作信号の入力以後は入力不可(無効)とされる。賞球払出し信号は、球貸し指令の終了以後に入力可能とされ、また球抜き操作信号の入力以後は入力不可(無効)とされる。また球抜き操作信号は、貸し球,賞球の払出し指令の終了以後に１回だけ有効入力可能とされる。
【００３９】
一方、本実施例の貯留球の不正排出防止装置Ｇでは、装置特有の機能として球抜き操作により機外へ排出されるベき貯留球の不正獲得(上球皿側への抜出し)を防止し得るもので、この防止対策については、前枠Ｂの操作孔から挿入した操作杆により前記球抜き用のスイッチ１４を検出操作して球切換え操作部４７を球抜き状態に保持し得ることにおいて、機前側での不正操作により不正物を供給口６から裏側へ侵入させて巧みに操っても、貯留球が球払出し路４３側へ排出されることを好適に阻止するようになっている。なお、賞球払出装置Ｆの球排出作動前においては、図１５(ａ)に示すように、切換え弁４９が起立払出し位置に変位して押圧片９２がスイッチボタン９１から離間しており、保全スイッチ９０がＯＦＦ状態となって切換え弁４９を検出しない条件が第２の電子制御装置２２に入力される。
【００４０】
そして、前枠Ｂの操作孔から挿入した操作杆により前記球抜き用のスイッチ１４を操作すると、球切換え排出部４７における切換え用の電磁ソレノイド４８が励磁して、切換え弁４９が傾斜戻し位置へ切換え保持される。そして、押圧片９２がスイッチボタン９１を押圧することにより、保全スイッチ９０がＯＮ状態とされて切換え弁４９を検出している条件のもとに前記球払出し部３０が払出し解放作動状態となり、前記切換え用の電磁ソレノイド４８の作動開始から適宜後に払出し用の電磁ソレノイド３４が励磁されて貯留球の払出しが開始される(図１５(ｂ)参照)。このとき前記切換え弁４９は、球払出し路４３を閉遮して球戻し路４４を開放した傾斜戻し位置に保持されているから、前記球払出し部３０から排出された貯留球は、球戻し路４４側へ案内された後に球抜き路９へ抜出される(図１５(ｂ)参照)。
【００４１】
そして、前述した貯留球の抜出し状態において、線状の不正物を供給口６から第１賞球路５内に侵入させ、球払出し路４３側に挿入させた該不正物の先端が切換え弁４９に当接すると、該切換え弁４９が図示時計方向へ揺動される。これにより、傾斜戻し位置に保持されていた切換え弁４９が電磁ソレノイド４８の励磁力に抗して少しだけ揺動変位し、これによりスイッチボタン９１に対する押圧片９２の押圧が解除される。すなわち、保全スイッチ９０がＯＦＦ状態とされるから、切換え弁４９を検出しない条件のもとに前記球払出し部３０が払出し解放作動不能状態となり、前記払出し用の電磁ソレノイド３４が消磁されて貯留球の球払出しが中止される。すなわち、不正物により切換え弁４９を起立払出し位置まで強制的に揺動変位させたとしても、払出し用の電磁ソレノイド３４が消磁されて規制片３６により球送り体３２が回転不能状態となり、以後の貯留球の払出しが規制されて球入路４０にあった１,２個の球しか抜取ることができない。
【００４２】
また、払出し用の電磁ソレノイド３４の作動設定条件として、Ｎ回(例えば３回)の不正球抜き操作(保全スイッチ９０のＯＮ→ＯＦＦ)後に該ソレノイド３４を作動停止するように設定してある場合には、不正物による１回目の不正操作が解除されれば、切換え弁４９は切換え用の電磁ソレノイド４８の作動下に傾斜戻し位置に揺動復帰し、これに伴って押圧片９２が保全スイッチ９０をＯＮ状態とする。すなわち、保全スイッチ９０が切換え弁４９を検出している条件となるから、前記切換え用の電磁ソレノイド４８が作動を再開して、貯留球の球戻し路４４および球抜き路９側への球抜きが開始される(図１５(ｂ))。また、再び供給口６から第１賞球路５内に侵入された不正物で切換え弁４９が再度揺動されると、保全スイッチ９０がＯＦＦ状態となって切換え弁４９を検出しない条件となり、前記払出し用の電磁ソレノイド３４が消磁されて貯留球の払出しが中止される。従って、２回目の不正球抜き操作においても、球入路４０にあった１,２個の球しか抜取ることができない。同じく、３回目の不正操作においても、１,２個の球しか抜取ることができないから、結局３回の不正操作により抜取り得る貯留球は数個にしかならない。そして、払出し用の電磁ソレノイド３４に対して設定した回数の不正操作が行なわれた以後は、保全スイッチ９０のＯＮ−ＯＦＦ状態の如何に拘らず電磁ソレノイド３４を作動停止状態に保持し、前記リセットスイッチ６０の入力条件を前提としてのみ、次の球抜き用検出信号が有効入力可能に設定される。
【００４３】
なお、実施例では保全スイッチ９０として「ａ接点」を用いた場合につき説明したが、スイッチボタン９１の非押圧状態ではＯＮ状態に保持され、押圧片９２により該スイッチボタン９１を押圧している間だけＯＦＦ状態とされる「ｂ接点」を用いることができる。そしてこの場合には、スイッチ９０のＯＦＦ状態で切換え弁４９の傾斜戻し位置を検出するよう設定される。
【００４４】
また本実施例のパチンコ機では、前述のように遊技ホール内の設置枠台に設置されて遊技に供されている適時に、前記賞球払出装置Ｆや貯留球の不正排出防止装置Ｇを、凹室部２５からワンタッチ操作で簡単かつ容易に取外すことが可能である。すなわち、前記施錠部材７０をロック解除位置へ回動操作して係合盤７５と係合片部６８との係合を解除した状態において、賞球払出装置Ｆを手前上方に引出せば該賞球払出装置Ｆを簡単に取外すことができる。また、前記賞球払出装置Ｆを凹室部２５から取外した状態において、前記不正排出防止装置Ｇを上方へ引上げれば、該不正排出防止装置Ｇも簡単に取外すことが可能である。しかも、前記施錠部材７０がロック解除位置に保持されている状態においては、前記球流通規制装置８５における可動規制部材８７が傾斜規制状態に姿勢保持されるので、例えば球貯留排出経路部４内にパチンコ球が残留していたとしても、該パチンコ球が送出樋４ｃから流出することはない。
【００４５】
更に本実施例のパチンコ機では、前述したように、賞球払出装置Ｆおよび不正排出防止装置Ｇの取外しが極めて簡単かつ容易に行ない得るので、例えば当該パチンコ機を廃棄処理するに際し、部品毎の分解作業の迅速化および合理化を図り得る。
【００４６】
【変更例】
図１７は、貯留球の不正排出防止装置Ｇにおける球入路４０,球払出し路４３と球戻し路４４を、逆Ｙ字状に形成した変更例を例示したもので、電磁ソレノイド４８の回動軸５４に配設した切換え弁４９が、左右に傾動変位可能に配設されている。そして、貸し球の払出しおよび賞球の払出しに際しては、切換え弁４９を右方へ傾動させた球払出し位置に保持させ、パチンコ球を球入路４０から球払出し路４３側へ通出案内する。また、貯留球の球抜きに際しては、前記電磁ソレノイド４８の励磁による回動軸５４の回動下に、切換え弁４９を左方へ傾動させた球戻し位置に保持させ、貯留球を球入路４０から球戻し路４４側へ通出案内する。
【００４７】
【発明の効果】
以上に説明した如く、本発明に係る貯留球の不正排出防止装置を備えたパチンコ遊技機によれば、賞球排出路に連通する球払出し路と球抜き路に連通する球戻し路との分岐部分に配設する切換え弁を、ロータリー式の電磁ソレノイドの回転軸に直結して配設したので該切換え弁の作動系がシンプルとなり、第１の状態と第２の状態とに姿勢変位する該切換え弁の作動が極めてスムーズに行なわれる利点がある。しかも、電磁ソレノイドの励磁力発生部および方形の外郭体が小型に構成されるので、不正排出防止装置自体の小型化および軽量化が図られると共に取扱いが容易となる。更に不正排出防止装置の小型軽量化に伴い、機構セット盤側の設置部位を小さく狭くすることが可能となり、賞球排出経路全体の設計の自由度が高まると共に他の搭載機材の設置も楽になる等の有益な効果を奏する。
【００４８】
また、本発明に係る貯留球の不正排出防止装置を備えたパチンコ遊技機では、球切換え排出部に配設した保全スイッチで第２の状態(球戻し位置)に保持された切換え弁を検出し得るようにし、このスイッチの検出条件を前提として球払出し部を作動制御するよう構成した。すなわち、切換え弁が本来の第２の状態に保持されていることによる保全スイッチの検出条件下では、球払出し部を作動させて貯留球を戻し球として機外に排出し得るが、不正操作により切換え弁が第１の状態(払出し位置)側へ変位されることによる保全スイッチの非検出条件下では、球払出し部を停止させて貯留球を払出し得ないようにすることが可能となる。従って、例えば不正物を上球皿に連絡する供給口から賞球経路内に侵入させて、巧みに操りながら切換え弁を第１の状態に保持し得たとしても、該切換え弁が第２の状態にないから保全スイッチが非検出条件となり、球払出し部の停止により貯留球の不正抜出し獲得を好適に阻止する極めて有益な効果を奏する。
【図面の簡単な説明】
【図１】カードユニットを併設したパチンコ機の背面図である。
【図２】パチンコ機裏側の機構セット盤に配設した球処理部の背面図である。
【図３】セーフ球検出処理装置を作動変化状態で示す正面図である。
【図４】本実施例の賞球払出装置および貯留球の不正排出防止装置をケースの破断状態で示す正面図である。
【図５】本実施例の賞球排出装置および貯留球の不正排出防止装置を一部断面状態で示す縦断側面図である。
【図６】機構セット盤の凹室部,賞球払出装置,不正排出防止装置,施錠部材および球流通規制装置を示す分解斜視図である。
【図７】施錠部材および球流通規制装置の分解斜視図である。
【図８】施錠部材および球流通規制装置の組付け状態を示す横断平面図である。
【図９】機構セット盤の凹室部に対する賞球払出装置と不正排出防止装置の取付け形態を示す正面図である。
【図１０】ロック係止位置に回動変位した施錠部材に連動して球流通規制装置が規制解除状態に姿勢変位した状態を一部破断して示す作動説明図である。
【図１１】ロック解除位置に回動変位した施錠部材に連動して球流通規制装置が流通規制状態に姿勢変位した状態を一部破断して示す作動説明図である。
【図１２】図１１における施錠部材の係合盤と可動規制部材の連繋ピンとの係合状態を拡大して示す説明図である。
【図１３】本実施例の貯留球の不正排出防止装置の分解斜視図である。
【図１４】凹室部に取付けられた貯留球の不正排出防止装置の横断平面図である。
【図１５】切換え弁の起立払出し位置と傾斜戻し位置とで示す貯留球の不正排出防止装置の縦断側面図である。
【図１６】制御系統のブロック図である。
【図１７】球払出し路および球戻し路の形態変更例を示す側面図である。
【符号の説明】
４  球貯留排出経路部(賞球貯留排出部)
４ｃ  送出樋
５  第１の賞球路(賞球排出路)
７  第２の賞球路(賞球排出路)
９  球抜き路
２５  凹室部(設置部)
２６  ケース体
２８  球通路
３０  球払出し部
４０  球入路
４１  ケース体(別のケース体)
４３  球払出し路
４４  球戻し路
４７  球切換え排出部
４８  電磁ソレノイド
４９  切換え弁
５２  外郭体
５３  励磁力発生部
５４  回動軸
５４ａ  支点軸部
７０  施錠部材
７５  係合盤
８７  可動規制部材
８９  規制弁
９０  保全スイッチ
９１  スイッチボタン(検出部)
９２  押圧片(一部)
Ｃ  機構セット盤
【図１】
0003873201.tif 000002
【図２】
0003873201.tif 000003
【図３】
0003873201.tif 000004
【図１６】
0003873201.tif 000005
【図４】
0003873201.tif 000006
【図５】
0003873201.tif 000007
【図６】
0003873201.tif 000008
【図７】
0003873201.tif 000009
【図８】
0003873201.tif 000010
【図９】
0003873201.tif 000011
【図１０】
0003873201.tif 000012
【図１１】
0003873201.tif 000013
【図１２】
0003873201.tif 000014
【図１３】
0003873201.tif 000015
【図１４】
0003873201.tif 000016
【図１５】
0003873201.tif 000017
【図１７】
0003873201.tif 000018